【事件の表示】
　特許第２７４６９２４号「フロッピーディスク装置の磁気ヘッド」の特許に対する特許異議の申立てについて、次のとおり決定する。
【結論】
　訂正を認める。
　特許第２７４６９２４号の特許を維持する。
【理由】
（手続の経緯）
　特許第２７４６９２４号の特許請求の範囲の請求項１に係る発明は、昭和６３年７月２９日に出願されたものであって、平成１０年２月１３日に設定登録され、その後、特許異議の申し立てがなされ、取消理由通知がなされ、その指定期間内である平成１１年４月１９日に訂正請求がなされたものである。
（訂正の適否）
（訂正事項）
・訂正事項ａは、請求項１に係る発明における「傾斜可能である」を特許請求の範囲の減縮を目的として、「傾斜可能であり、前記支点が位置する前記直線は、前記第１の摺動面の前記溝部に向かう方向の幅の中心位置と前記直線との距離ｄ２と前記第２の摺動面の前記溝部に向かう方向の幅の中心位置と前記直線との距離ｄ１が、ｄ１＞ｄ２を満たすような位置にある」と訂正するものである。
・訂正事項ｂは、発明の詳細な説明の欄（特許公報第１頁右欄第１０〜１１行の「磁気コア１７がスライダＡ１５とスライダＢ１６」を誤記の訂正を目的として、「磁気コア１３がスライダ１１とスライダ１２」と訂正するものである。
・訂正事項ｃは、発明の詳細な説明の欄（特許公報第１頁右欄第１２行の「左右対象」を誤記の訂正を目的として、「左右対称」に訂正するものである。
・訂正事項ｄは、発明の詳細な説明の欄（特許公報第２頁左欄４１行の「左右対象」を誤記の訂正を目的として、「左右対称」に訂正するものである。
（訂正の目的の適否・新規事項の有無及び拡張・変更の存否）
　訂正事項ａは、訂正前の「傾斜可能である」を「傾斜可能であり、前記支点が位置する前記直線は、前記第１の摺動面の前記溝部に向かう方向の幅の中心位置と前記直線との距離ｄ２と前記第２の摺動面の前記溝部に向かう方向の幅の中心位置と前記直線との距離ｄ１が、ｄ１＞ｄ２を満たすような位置にある」と特許請求の範囲を減縮するものであって、新規事項の追加に該当せず、実質的に特許請求の範囲を拡張又は変更するものではない。
　また、訂正事項ｂ．ｃ及びｄは、誤記の訂正に相当する。
（独立特許要件の判断）
　訂正明細書の請求項１に係る発明は以下のとおりである。
「第１の摺動面と第２の摺動面と前記第１の摺動面および前記第２の摺動面の間に設けられた溝部とが第１の面に設けられたスライダ部と、
　前記スライダ部の前記第１の摺動面に設けられた磁気コアとを含み、
　前記スライダ部の前記第１の摺動面の前記溝部に向かう方向の幅は前記スライダ部の前記第２の摺動面の前記溝部に向かう方向の幅よりも小さく形成され、
　前記スライダ部は前記溝部を通り前記第１の面に垂直な直線上に位置する支点を中心に傾斜可能であり、前記支点が位置する前記直線は、前記第１の摺動面の前記溝部に向かう方向の幅の中心位置と前記直線との距離ｄ２と前記第２の摺動面の前記溝部に向かう方向の幅の中心位置と前記直線との距離ｄ１が、ｄ１＞ｄ２を満たすような位置にあることを特徴とするフロッピーディスク装置の磁気ヘッド」
　これに対して、当審が通知した取消理由で引用した、特開昭６０−９３６７２号公報（以下、引用例という）には、
「第１の摺動面と第２の摺動面と前記第１の摺動面および前記第２の摺動面の間に設けられた溝部とが第１の面に設けられたスライダ部と、
　前記スライダ部の前記第１の摺動面に設けられた磁気コアとを含み、
　前記スライダ部の前記第１の摺動面の前記溝部に向かう方向の幅は前記スライダ部の前記第２の摺動面の前記溝部に向かう方向の幅よりも小さく形成され、
　前記スライダ部は前記溝部を通り前記第１の面に垂直な直線上に位置する支点を中心に傾斜可能であることを特徴とするフロッピーディスク装置の磁気ヘッド」が記載されている。
　そこで、訂正後の本件請求項１に係る発明と上記引用例に記載の発明とを対比すると、引用例に記載の発明は、請求項１に係る発明の構成要件であるところの、
「傾斜可能な支点が位置する直線が溝部の中心を通ると共に、第１の摺動面の溝部に向かう方向の幅の中心位置と直線との距離ｄ２と第２の摺動面の溝部に向かう方向の幅の中心位置と直線との距離ｄ１が、ｄ１＞ｄ２を満たすような位置にある」構成を有しておらず、また、そのことを示唆する記載もなされていない。そして、本件請求項１に係る発明では、上記構成を有することによって、磁気記録媒体面の面振れ及び面圧の高さによるスティックスリップ現象があっても追従性の向上及びスティックリップ現象の抑制ができるという本件請求項１に係る発明特有の作用・効果を奏するものであるので、訂正後の本件請求項１に係る発明を引用例に記載の発明に基づいて当業者が容易にできたものとはいえない。
　したがって、訂正明細書の請求項１に係る発明は特許出願の際に独立して特許を受けることができるものである。
（むすび）
　以上のとおりであるから、上記訂正は、特許法第１２０条の４第２項及び３項で準用する第１２６条第２−４項の規定に適合するので、当該訂正を認める。
（特許異議申立についての判断）
（申立の理由の概要）
　特許異議申立人中山茂は、甲第１号証（特開昭６０−９３６７２号公報），甲第２号証（甲第１号証の第５図の拡大図），甲第３号証（甲第１号証の第７図の拡大図），甲第４号証（特開昭６２−１６２２８７号公報）及び甲第５号証（特開昭６３−５８６５５号公報）を挙げて、本件請求項１に係る発明は、甲第１〜５号証に記載の発明に基づいて当業者が容易に発明をすることができたものであるから、本件請求項１に係る特許は特許法第２９条第２項の規定に該当し同法第１１３条第１項第２号の規定により、その登録は取り消されるべきである旨主張している。
（当審の判断）
・各号証の内容
　甲第１号証は上記引用例と同じである。
　甲第２号証は上記引用例の第５図を拡大したものである。
　甲第３号証は、上記引用例の第７図を拡大したものである。
　甲第４号証には、
「サイド１スライダとサイド０スライダとを対向位置させサイド１スライダに対して押圧点を配置させたものにおいてこの押圧点を磁気記録媒体半径方向に対して複数個配置したもの」が記載されている。
　甲第５号証には、
「円盤型磁気記録媒体の上下に設けた１対のコアならびにスライダと、ジンバルバネおよびピボットを備える円盤型磁気記録媒体用磁気ヘッドにおいて、スライダと、前記１対のコアとコアとの水平距離の中間点を前記ジンバルバネを介して押圧するように設けたピボットとを備え、前記磁気ヘッドの設置位置における前記円盤型磁気記録媒体の走行線の接線に平行な前記ジンバルバネの指示軸線と、前記磁気ヘッドの重心を通る鉛直線とが互いに直交するように構成され磁気ヘッド」が記載されている。
・対比及び判断
　そこで、本件請求項１に係る発明と上記甲第１〜５号証に記載の発明とを対比すると、
上記甲第１〜５号証には、本件請求項１に係る発明の構成要件である「傾斜可能な支点が位置する直線が溝部の中心を通ると共に、第１の摺動面の溝部に向かう方向の幅の中心位置と直線との距離ｄ２と第２の摺動面の溝部に向かう方向の幅の中心位置と直線との距離ｄ１が、ｄ１＞ｄ２を満たすような位置にある」が記載されていず、またそのことを示唆する記載もなされていない。そして、本件請求項１に係る発明では、上記構成を有することによって、磁気記録媒体面の面振れ及び面圧の高さによるスティックスリップ現象があっても追従性の向上及びスティックリップ現象の抑制ができるという本件請求項１に係る発明特有の作用・効果を奏するものであるので、本件請求項１に係る発明を甲第１〜５号証に記載の発明に基づいて当業者が容易にできたものとはいえない。
　また、他に訂正明細書の請求項１に係る特許を取り消すべき理由を発見しない。
　よって、結論のとおり決定する。
【異議決定日】
平成１１年５月２６日（１９９９．５．２６）
【訂正の要旨】
　　　訂正の要旨
　ａ．特許明細書の【請求項１】中の「傾斜可能である」を、「傾斜可能であり、
　前記支点が位置する前記直線は、前記第１の摺動面の前記溝部に向かう方向の幅の中心位置と前記直線との距離ｄ２と前記第２の摺動面の前記溝部に向かう方向の幅の中心位置と前記直線との距離ｄ１が、ｄ１＞ｄ２を満たすような位置にある」と訂正する。
　ｂ．特許明細書の（産業上の利用分野）中（特許公報第１頁右欄第１０〜１１行）の「磁気コア１７がスライダＡ１５とスライダＢ１６」を、「磁気コア１３がスライダ１１とスライダ１２」と訂正する。
　ｃ．特許明細書の（産業状の利用分野）中（特許公報第１頁右欄第１２行）の「左右対象」を、「左右対称」と訂正する。
　ｄ．特許明細書の（実施例）中（特許公報第２頁左欄第４１行）の「左右対象」を、「左右対称」と訂正する。
（５４）【発明の名称】
フロッピーディスク装置の磁気ヘッド
（５７）【特許請求の範囲】
【請求項１】第１の摺動面と第２の摺動面と前記第１の摺動面および前記第２の摺動面の間に設けられた溝部とが第１の面に設けられたスライダ部と、
前記スライダ部の前記第１の摺動面に設けられた磁気コアとを含み、
前記スライダ部の前記第１の摺動面の前記溝部に向かう方向の幅は前記スライダ部の前記第２の摺動面の前記溝部に向かう方向の幅よりも小さく形成され、
前記スライダ部は前記溝部の中央を通り前記第１の面に垂直な直線上に位置する支点を中心に傾斜可能であ
り、
　
前記支点が位置する前記直線は、前記第１の摺動面の前記溝部に向かう方向の幅の中心位置と前記直線との距離ｄ２と前記第２の摺動面の前記溝部に向かう方向の幅の中心位置と前記直線との距離ｄ１が、ｄ１＞ｄ２を満たすような位置にある
【発明の詳細な説明】
〔産業上の利用分野〕
　本発明はフロッピィディスクドライブに使用される磁気ヘッドの構造に関するものである。
〔従来の技術〕
　近年、フロッピィディスクドライブの記録密度の高密度化に従い、磁気ヘッドと磁気記録媒体との接触状態の良否が問題になってきている。即ち、記録トラックの狭トラック化、線記録密度の高密度化のため磁気ヘッドと磁気記録媒体との接触状態のわずかな変動が再生出力に大きな悪影響をおよぼしてしまう。
　従来フロッピィディスクドライブに用いられている磁気ヘッドは、第４図に示すように磁気コア１３がスライダ１１とスライダ１２により挟まれており、その摺動面においては中央部の溝に対し、左右対称の摺動面形状をもっており、その構造に上記の問題点に対する適切な解決手段を有していなかった。
〔発明が解決しようとする課題〕
　上述の従来の磁気ヘッドと磁気記録媒体との接触状態の悪化は二つの原因がある。
　第一の原因は、（１）磁気記録媒体の面の振れに対して、磁気ヘッド全体が波にのってしまうような現象により、長周期の出力変動が起きるものである。
　第二の原因は、（２）面圧力の高さによるスティックスリップ現象（フラットな面同志がある程度高い圧力て圧着すると吸着してしまい、これを動かすことにより、離れたり、吸着したりを短周期で繰り返す現象。）により短周期の出力変動が起きるものである。
　これらに対し、従来の磁気ヘッドは、その構造に解決手段を講じていなかった。そのため、前記第一の原因を解決するためには、単に前記記録媒体に対する磁気ヘッドの接触を強くする方法がある。しかし、接触を強い圧力で行なうと、前記記録媒体の老朽化が著しく、また、前記第二の原因を直接引き起こしてしまう。第二の原因だけを解決するために、磁気ヘッドのロード荷重を下げると、第一の原因を引き起こし、かつ、前記媒体面と磁気ヘッドとの間に空間ができ易くなり、出力の低下、周波数特性の劣化等、不安定になる傾向がある。
　本発明の目的は、前記第一，第二の原因による磁気記録媒体と磁気ヘッドとの接触状態を良好な状態で安定させることができる磁気ヘッドを提供することにある。
〔課題を解決するための手段〕
　以上の問題を解決するため、本発明のフロッピーディスク装置の磁気ヘッドは、第１の摺動面と第２の摺動面と前記第１の摺動面および前記第２の摺動面の間に設けられた溝部とが第１の面に設けられたスライダ部と、前記スライダ部の前記第１の摺動面に設けられた磁気コアとを含み、前記スライダ部の前記第１の摺動面の前記溝部に向かう方向の幅は前記スライダ部の前記第２の摺動面の前記溝部に向かう方向の幅よりも小さく形成され、前記スライダ部は前記溝部の中央を通り前記第１の面に垂直な直線上に位置する支点を中心に傾斜可能である。
〔実施例〕
　次に、本発明について図面を参照して説明する。　　　　　　　　　　　　　　第１図は本発明の一実施例の斜視図である。
　本実施例の磁気ヘッドは２つのスライダ１ａとスライダ２ａとではさまれる形で磁気コア３ａがあり、構成は従来例と同一であるが、その中央部の溝をはさんで両側の面積が従来例のように対称ではなく、磁気コア３のない側の磁気記録媒体接触面部の幅Ｓ１に対し、磁気コア３のある側の該接触面部の幅Ｓ２はせまく、例えばＳ１：Ｓ２＝１：２になるように加工されている。
　第２図は上記磁気ヘッドを両面に用いたフロッピィディスクドライブ用磁気ヘッドアッセンブリの側面図である。磁気ヘッドはジンバル４ａ，４ｂに固定されており、ピボット５ａ，５ｂを中心として弱い復元力に支持されつつ、傾斜できるようになっている。尚、磁気記録媒体６は図のように上下両面の磁気ヘッドにはさまれており、その走行方向は図中にて鉛直方向である。
　上下両面の磁気ヘッドは、磁気コア３ａ，３ｂのない側、ある側をそれぞれの角部により１１，１２だけ面取り加工が施してある。
　次に、第３図を参照してその動作の説明をする。
　まず、磁気ヘッドと磁気記録媒体との接触状態悪化の原因の１つである（１）磁気記録媒体面の振れに対しては、磁気ヘッド摺動面上に前記原因による垂直方向の力Ｆ１，Ｆ２（Ｆ１≒Ｆ２）がかかると、ピボット５ａからその力の作用点での距離ｄ１，ｄ２の違いから、ピボット５ａのまわりに図中矢印で示す反時計回りのモーメントが生じる。従って磁気コア３ａは磁気記録媒体４ａにおしつけられる形となり、出力の低下等は生じない。図中のＦ１，Ｆ２と反対向きの力（つまり媒体が遠ざかる方向の振れ）に対しても、反対面の磁気ヘッド（第２図参照）が上記原理により追従し、その反力が図中の力Ｆ１のかかっている方向に作用するため、両面の磁気ヘッドが、回転する形となり、従来のものに比べ追従性は向上する。
　また、原因の２つめである、（２）面圧の高さによるスティックスリップ現象についても、本磁気ヘッドは、前述のように磁気記録媒体面の振れには無関係に磁気記録媒体との接触面積を小さくできるため、磁気ヘッド摺動面の単位面積当たりの圧力を下げずに磁気ヘッドのロード荷重を下げることができる。これによりトータルの荷重は従来のものに比べ減少し、磁気ヘッド全体へ加振力として作用するスティックスリップを抑制することができる。
〔発明の効果〕
　以上説明したように本発明は、磁気ヘッドの磁気コアを有する第一の摺動面の磁気コアの長手方向に垂直な方向の幅を中央部の溝の反対側にある第二の摺動面の幅より小さくしたことにより、磁気記録媒体と磁気ヘッドとの接触状態を悪化させる原因となる（１）磁気記録媒体面の振れ、（２）面圧の高さによるスティックスリップ現象があっても追従性の向上及びステックスリップ現象の抑制ができる。
　また、本発明の磁気ヘッドは、その構造が簡単であり、加工に際しても従来のものと同一の技術にて製作が可能なため、コストアップ等の問題も全くない。
【図面の簡単な説明】
第１図は本発明の磁気ヘッドの側面より見た斜視図、第２図は本発明の磁気ヘッドを用いたフロッピーディスクドライブ用両面ヘッドの側面図、第３図は第２図で示したものの動作説明図、第４図は従来の磁気ヘッドの斜視図である。
１ａ，１ｂ，２ａ，２ｂ，１１，１２，・・・・・・スライダ、３ａ，３ｂ，１３・・・・・・磁気コア、４ａ，４ｂ・・・・・・ジンバル、５ａ，５ｂ・・・・・・ピボット、６・・・・・・磁気記録媒体。